(57)【要約】      （修正有）【課題】電子マネー或いはクレジットカードを携帯電話の外部に組み合わせたカード収納機能を備えた携帯電話カバーを提供する。【解決手段】カバーにはスリットを設け、尚且つカバー構造には設計を施し内側面に空間を形成する。【選択図】図１
0003174481.tif 000002
【実用新案登録請求の範囲】
【請求項１】
カバーは携帯電話の外部に装着するのに用い、カバーにはスリットを備え、スリット内のカバー内には空間を形成することを特徴とするカード収納機能を備えた携帯電話カバー。
【請求項２】
前記スリットは長方形とし、スリット内には平行するガイド板を設け、ガイド板は傾斜面を備え尚且つ支持板を備えることを特徴とする請求項１に記載のカード収納機能を備えた携帯電話カバー。
【請求項３】
前記カバーには開口を設け、開口と空間は繋がり、尚且つ空間には内両側に対応する突出体を設置することを特徴とする請求項１記載のカード収納機能を備えた携帯電話カバー。
【請求項４】
前記カバーには溝部を設け、溝部内には保護板を形成することを特徴とする請求項１に記載のカード収納機能を備えた携帯電話カバー。
【請求項５】
第一本体と第二本体を含むカード収納機能を備えた携帯電話カバーにおいて、
前記第一本体は、フレーム体であり、内側周囲エッジに段差を利用した環状ストッパーを形成し、
前記第二本体は、概ね平板状であり、周囲エッジに段差を利用した環状部を形成し、該環状部は第一本体の環状ストッパー箇所に結合し、第二本体上にはスリットを設け、尚且つ内側面には空間を形成することを特徴とするカード収納機能を備えた携帯電話カバー。
【請求項６】
前記スリットは長方形であり、スリット内には平行するガイド板を設け、ガイド板は傾斜面を備え尚且つ支持板を備えることを特徴とする請求項５に記載のカード収納機能を備えた携帯電話カバー。
【請求項７】
前記カバーには開口を設け、開口と空間は繋がり、尚且つ空間には内両側に対応する突出体を設置することを特徴とする請求項５記載のカード収納機能を備えた携帯電話カバー。
【請求項８】
前記カバーには溝部を設け、溝部内には保護板を形成することを特徴とする請求項５に記載のカード収納機能を備えた携帯電話カバー。
【考案の詳細な説明】
【技術分野】
【０００１】
本考案の「カード収納機能を備えた携帯電話カバー」は、電子マネー或いはクレジットカードを携帯電話の外部に付加した新規構造に関し、具体的には、携帯電話に電子財布の決済機能を付け加えるものである。
【背景技術】
【０００２】
携帯電話は、初期においては単に通信作用を備えるものであったが、近年は科学技術の進歩に伴い、カメラ、マルチメディア放送の視聴、更にはインターネット等の強大な機能を兼ね備えるものに変化した。これにより、現代人の携帯電話に対する依頼度も益々高まり、某米国製携帯電話を持つことが自分風の表徴であるとさえ思われている。また、プラスチックマネーの使用は関連業者の経営と推進が続けられる中、現行ビジネスの取引方法として非常に高い比率を占めている。また、公共の交通機関を利用する際に、多くの国では一般に電子マネーが使われており、ビジネス上の取り引きでは、クレジットカード、電子マネーが多く使用されている。よって、現代人の外出時に、携帯電話、電子マネー、クレジットカード等が既に携帯の必需品となっている事は明らかである。
【０００３】
考案者は、現在の多くの人は携帯電話から手が離せないでいることに気付いた。しかし、駅の改札口やバスの乗り降り時には、通常、バッグ、財布、ポケットの中から電子マネーを取り出して感知させて引き落としするため、手に他の物を持っていたなら、まごつくこともあるだろう。そこで、考案者は奇想天外な発想で、プラスチックマネーを携帯電話に結合させることができたら、感知させて引き落としをする時に手には携帯電話を持つだけで決済でき非常に便利だと考えた。
【０００４】
考案者は、前述の巧妙で独創的な考えを実現するために特に本考案を研究開発し、本考案の提出によって、携帯電話に引き落としを行う電子マネー決済機能を複合し、消費者の日常生活の便利性を高めることを期待する。
【考案の概要】
【考案が解決しようとする課題】
【０００５】
本考案「カード収納機能を備えた携帯電話カバー」の主な目的は、次の携帯電話のカバーを提供することにある。該カバーは、携帯電話の保護作用のほか、プラスチックマネーの收納機能を備える。携帯電話にプラスチックマネーを組み合わせてあるため、使用者が感知式引き落としを行う必要のある場合は、手に携帯電話を持つだけで決済が完了し、迅速で便利という目的を果たす。
【０００６】
本考案「カード収納機能を備えた携帯電話カバー」の第二の目的は、次の携帯電話のカバーを提供することにある。該カバーは、携帯電話の保護作用のほか、プラスチックマネーの収納機能を備え、尚且つ、該プラスチックマネーを取り出すことができる。使用者がクレジットカードでの支払い作業を行いたい場合は、手に携帯電話を持ちクレジットカードを取り出すだけで、クレジットカードでの支払いが行え、迅速で便利という目的を達成する。
【０００７】
本考案「カード収納機能を備えた携帯電話カバー」の第三の目的は次の携帯電話のカバーを提供することにある。その構造中には一つ或いは一つ以上の保護板を設け、該保護板の位置は携帯電話のイヤフォン差込口或いはその他の接続ポートの位置に対応させる。これにより、該保護板はイヤフォン差込口或いは各接続ポートの未使用時に保護作用を提供し、異物侵入、詰まり、イヤフォン差込口及び各接続ポートの損傷を効果的に防ぎ保護する目的を達成する。
【課題を解決するための手段】
【０００８】
上述の目的を達成するために、本考案の具体的な内容は、カバーに第一本体と一第二本体を含む。
【０００９】
好ましくは、第一本体と第二本体を分離式構造とするが、当然ながら一体式構造でもよい。
【００１０】
好ましくは、第一本体はフレーム体とし、携帯電話の側面外周に組み合わせる。第一本体には溝部を設け、溝部内には保護板を形成し、保護板は外方向に開く作用を備える。また、第一本体の内側周囲エッジには環状ストッパーを設ける。
【００１１】
好ましくは、第二本体は概ね平板状とし、周囲エッジには段差を利用して環状部を形成し、環状部は第一本体の環状ストッパー内に結合する。第二本体にはスリットを設置し、スリットは概ね長方形とし、スリット内には平行状態でガイド板と支持板を順に設け、ガイド板は傾斜面を備える。また、第二本体には開口を設け、第二本体の内側面には空間を形成し、第二本体の空間の内両側には対応する突出体を設置する。
【考案の効果】
【００１２】
本考案のカード収納機能を備えた携帯電話カバーは、携帯電話の保護作用のほか、プラスチックマネーの收納機能を備えているため、手に携帯電話を持つだけで決済を完了でき、迅速性、便利性に富み、カバーに設けた保護板によって、異物侵入、詰まり、イヤフォン差込口及び各接続ポートの損傷を効果的に防ぐ効果を備える。
【図面の簡単な説明】
【００１３】
【図１】本考案の分解図である。
【図２】本考案を実施時の分解図である。
【図３】本考案にプラスチックマネーを挿設する状態を示す図である。
【図４】本考案にプラスチックマネーを挿設した状態の断面図である。
【図５】本考案からプラスチックマネーを抜き取る状態を示す図である。
【考案を実施するための形態】
【００１４】
以下、添付図面を参照して本考案の実施の形態を詳細に説明する。
【実施例】
【００１５】
図１及び図２に示すとおり、本考案「カード収納機能を備えた携帯電話カバー」において、該カバーは第一本体1と第二本体2を含む。
【００１６】
その内、第一本体1はフレーム体であり、携帯電話3の側面外周に装着する。第一本体1に設けた溝部11は、溝部11内に形成した保護板12を外側方向に開かせる作用を備える。また、第一本体1の内側周囲エッジには、段差を利用して環状ストッパー10を形成する。
【００１７】
第二本体2は、概ね平板状をなし、周囲エッジには段差を利用して環状部20を形成し、環状部20は、第一本体1の環状ストッパー10箇所に結合するのに用いる。第二本体2上にはスリット21を設け、該スリット21は概ね長方形をなし、該スリット21内には平行状態のガイド板23と支持板22を順に設置し、その内のガイド板23は概ね傾斜面をなす。また、第二本体2には開口25を設け、第二本体2の内側面には空間24を形成する。開口25と空間24とは繋がり、第二本体2の空間24の内両側には突出体26を対応させる。
【００１８】
図２、図３、図４に示すとおり、第一本体1と第二本体2を携帯電話3の外部に装着する際、環状部20を環状ストッパー10に連接させ、第一本体1を携帯電話3の外部に組み合わせることにより、第一本体1、第二本体2、携帯電話3を結合する目的を果たす。
【００１９】
使用時は図３に示すとおりであるが、プラスチックマネーの電子マネー4をカバー内に配置したい時、電子マネー4の短辺側をスリット21内に挿入し、ガイド板23の斜面を利用して、電子マネー4全体をスリット21内に押し入れることができる。第二本体2内部には空間24を備えてあるため、電子マネー4全体を空間24内に納めることができ、電子マネー4の一端を押圧するように支持板22を係合させるため、電子マネー4は携帯電話3に平行状態で密着して容易に抜け落ちることはなく、それと同時に、携帯電話3の背面を保護する作用を兼ね備える。また、プラスチックマネーのクレジットカード5を例に挙げると、クレジットカード5の短辺側をスリット21内に挿入し、ガイド板23の斜面を利用して、全体をスリット21内、特に電子マネー4の外側面箇所に配置することができる。ガイド板23の設置に加えて、本考案は第二本体2の空間24内両側に対応する突出体26を設置し、各突出体26は、電子マネー4とクレジットカード5を引っ掛からせて制御する作用を備え、電子マネー4とクレジットカード5が予期せずにスリット21から抜け落ちるのを防ぐ（図１及び図４参照）。
【００２０】
本考案の実施時には、携帯電話3内に電子マネー4を組み合わせてあるため、駅の改札口では、ただ手に携帯電話3を持つだけで感知させて引き落としができ、非常に便利である。
【００２１】
本考案の実施時には、携帯電話3内にクレジットカード5を配置してあるため、クレジットカード5での支払いを行う時は、指を開口25から入れて、指をクレジットカード5に触れ（図５参照）、続いてクレジットカード5の一端にスリット21端方向の力を加えると、ガイド板23の斜面を利用してクレジットカード5を取り出すことができ、カード決済に利便を図り、非常に使い易く、理想的である。
【００２２】
前記実施例は、二枚のプラスチックマネーの収納を例としたが、当然ながら、第二本体2の空間24の厚さを変えるだけで、プラスチックマネーの収納数量を自由に増減できる故、この変化は何れも本考案の保護範囲内に含まれるものとする。
【符号の説明】
【００２３】
1      第一本体
10     環状ストッパー
11     溝部
12     保護板
2      第二本体
20     環状部
21     スリット
22     支持板
23     ガイド板
24     空間
25     開口
26     突出体
3      携帯電話
4      電子マネー
5      クレジットカード
【図１】
0003174481.tif 000003
【図２】
0003174481.tif 000004
【図３】
0003174481.tif 000005
【図４】
0003174481.tif 000006
【図５】
0003174481.tif 000007